(57)【要約】【課題】燃料電池システムにおいて、凝縮水を貯留する水タンクの排水を行うタンク排水部からの排水を良好なものとしながら筐体内の過剰昇温を抑制する。【解決手段】燃料電池部３２を内部に収容してなり当該燃料電池部３２の排ガスＥを排出する燃料電池モジュール３と、排ガスＥに含まれる水蒸気を凝縮させて凝縮水Ｗ’を生成し当該凝縮水Ｗ’を下方に排出する凝縮水生成部４と、凝縮水Ｗ’を貯留し当該貯留されている水Ｗの排水を行うタンク排水部８３を有する水タンク８とを、筐体２内に配置し、水タンク８が、燃料電池モジュール３の上方に配置され、凝縮水生成部４から排出された凝縮水Ｗ’を水タンク８に送出する水ポンプ６を備え、水ポンプ６による水タンク８への送水管路７が、筐体２の周側面の少なくとも一部の冷却対象部２ｆを送水との熱交換により水冷する水冷部Ｘとして構成されている。【選択図】図１
2015176818.tif 000002
【特許請求の範囲】
【請求項１】
燃料ガスと空気とを反応させて発電する燃料電池部を内部に収容してなり当該燃料電池部の排ガスを排出する燃料電池モジュールと、
前記燃料電池モジュールから排出された排ガスに含まれる水蒸気を凝縮させて凝縮水を生成し当該凝縮水を下方に排出する凝縮水生成部と、
前記凝縮水生成部から排出された凝縮水を貯留し当該貯留されている水の排水を行うタンク排水部を有する水タンクとを、筐体内に配置してなる燃料電池システムであって、
前記水タンクが、前記燃料電池モジュールの上方に配置され、
前記凝縮水生成部から排出された凝縮水を前記水タンクに送出する水ポンプを備え、
前記水ポンプによる前記水タンクへの送水管路が、前記筐体の周側面の少なくとも一部の冷却対象部を送水との熱交換により水冷する水冷部として構成されている燃料電池システム。
【請求項２】
前記燃料電池部が、固体酸化物形である請求項１に記載の燃料電池システム。
【請求項３】
前記水冷部が、前記筐体において前記燃料電池モジュールの前面に配置されている請求項１又は２に記載の燃料電池システム。
【請求項４】
前記水タンクに貯留されている水を前記水ポンプの一次側に還流させる還水管路を備えた請求項１〜３の何れか１項に記載の燃料電池システム。
【請求項５】
前記燃料電池モジュールの下方に配置され、前記凝縮水生成部から排出された凝縮水を一時的に貯留して精製処理を行う水精製器を備え、
前記水ポンプが、前記燃料電池モジュールの下方に配置され、前記水精製器から受け入れた水を間欠的に前記水タンクに送出する請求項１〜４の何れか１項に記載の燃料電池システム。
【請求項６】
燃料ガスを水蒸気改質させて前記燃料電池部に供給する改質器と、給水を加熱して前記改質器に供給される水蒸気を生成する水蒸気生成器とが、前記燃料電池モジュールの内部に収容され、
前記水タンクに貯留されている水を前記水蒸気生成器に導く給水管路を備えた請求項１〜５の何れか１項に記載の燃料電池システム。
【請求項７】
前記凝縮水生成部が、前記排ガスとの熱交換により給水を加熱して温水を生成する排熱回収熱交換器である請求項１〜４の何れか１項に記載の燃料電池システム。
【発明の詳細な説明】
【技術分野】
【０００１】
本発明は、燃料ガスと空気とを反応させて発電する燃料電池部を内部に収容してなり当該燃料電池部の排ガスを排出する燃料電池モジュールと、
前記燃料電池モジュールから排出された排ガスに含まれる水蒸気を凝縮させて凝縮水を生成し当該凝縮水を下方に排出する凝縮水生成部と、
前記凝縮水生成部から排出された凝縮水を貯留し当該貯留されている水の排水を行うタンク排水部を有する水タンクとを、筐体内に配置してなる燃料電池システムに関する。
【背景技術】
【０００２】
従来の燃料電池システムとして、筐体内において、凝縮水生成部から排出された凝縮水を貯留する水タンクを、燃料ガスと空気とを反応させて発電する燃料電池部を内部に収容してなる燃料電池モジュールの下方に配置したものが知られている（例えば特許文献１を参照。）。
このように水タンクを燃料電池モジュールの下方に配置した燃料電池システムでは、水タンクの排水を行うタンク排水部が、筐体の底部付近に配置されることになる。
また、このような従来の燃料電池システム、特に高温で作動する固体酸化物形の燃料電池部を備えた燃料電池システムでは、燃料電池モジュールが比較的高温に保たれることで、筐体が過剰に昇温して、利用者による取扱いや内部の機器の作動等において不都合が生じる場合がある。そこで、このような筐体の過剰昇温を抑制するために、筐体内を換気する換気ファンを設ける場合がある。
【先行技術文献】
【特許文献】
【０００３】
【特許文献１】特開２０１０−２７２３０５号公報
【発明の概要】
【発明が解決しようとする課題】
【０００４】
上記のような従来の燃料電池システムでは、水タンクが燃料電池モジュールの下方に配置されていることから、当該燃料電池システムの設置個所に設けられた排水口に対して、筐体の底部付近に配置されたタンク排水部の高さが低くなり、結果、良好な排水に必要な水頭圧を得ることができない場合があった。
このような場合には、燃料電池システムを専用架台上に載置する形態で設置して、タンク排水部の高さの嵩上げが行われるが、専用架台を追加することによるコストアップや意匠性の悪化等の問題があった。
また、燃料電池システムの筐体内の過剰な温度上昇を抑制するために換気ファンを設ける場合には、この換気ファンの作動音による騒音の問題が生じる。特に、換気ファンを熱の影響を受けにくい筐体外部に外付けした場合や、夏季の猛暑時において換気ファンを最大出力で作動させた場合には、騒音が増大する。
【０００５】
そこで、本発明は、かかる点に着目してなされたものであり、その目的は、燃料電池システムにおいて、凝縮水を貯留する水タンクの排水を行うタンク排水部からの排水を良好なものとしながら筐体内の過剰昇温を抑制することができる技術を提供する点にある。
【課題を解決するための手段】
【０００６】
この目的を達成するための本発明に係る燃料電池システムは、
燃料ガスと空気とを反応させて発電する燃料電池部を内部に収容してなり当該燃料電池部の排ガスを排出する燃料電池モジュールと、
前記燃料電池モジュールから排出された排ガスに含まれる水蒸気を凝縮させて凝縮水を生成し当該凝縮水を下方に排出する凝縮水生成部と、
前記凝縮水生成部から排出された凝縮水を貯留し当該貯留されている水の排水を行うタンク排水部を有する水タンクとを、筐体内に配置してなる燃料電池システムであって、
その特徴構成は、
前記水タンクが、前記燃料電池モジュールの上方に配置され、
前記凝縮水生成部から排出された凝縮水を前記水タンクに送出する水ポンプを備え、
前記水ポンプによる前記水タンクへの送水管路が、前記筐体の周側面の少なくとも一部の冷却対象部を送水との熱交換により水冷する水冷部として構成されている点にある。
【０００７】
本特徴構成によれば、燃料電池モジュールからの排ガスに含まれる水蒸気を凝縮させて生成された凝縮水を貯留する水タンクが、比較的高温となる燃料電池モジュールの上方に配置されるので、燃料電池モジュールから筐体の天井面への伝熱を水タンクで遮断して、筐体における利用者等が触れる頻度が比較的高い天井面の過剰昇温を抑制することができる。
更に、凝縮水生成部から下方に排出された凝縮水が、水ポンプにより送水管路を通じて、燃料電池モジュールの上方に配置された水タンクに汲み上げられることになるが、その送水管路が、例えば送水管路を構成する筐体の冷却対象部の内面側に沿って巡らせるなどの形態で、筐体の周側面（前面、背面、及び、両側面からなる面）少なくとも一部の冷却対象部を送水との熱交換により水冷する水冷部として機能させて、筐体の周側面の過剰昇温を抑制することができる。
また、水タンクが燃料電池モジュールの上方に配置されているので、例えば水タンクにおける一定水位以上の水をオーバーフローさせる形態で水タンクの排水を行うタンク排水部が、筐体の天井付近に配置されることになる。よって、燃料電池システムの設置個所に設けられた排水口に対して、筐体の天井付近に配置されたタンク排水部の高さが高くなり、結果、比較的大きな水頭圧を確保して良好な排水を行うことができる。
従って、本発明により、燃料電池システムにおいて、凝縮水を貯留する水タンクの排水を行うタンク排水部からの排水を良好なものとしながら筐体内の天井面並びに周側面の過剰昇温を抑制することができる技術を提供することができる。
【０００８】
本発明に係る燃料電池システムの更なる特徴構成は、
前記燃料電池部が、固体酸化物形である点にある。
【０００９】
本特徴構成によれば、燃料電池モジュールの内部に収容される燃料電池部が、反応温度が７００℃〜１０００℃程度と非常に高温な固体酸化物形に構成した場合においても、燃料電池モジュールの上方への水タンクの配置並びに水冷部による筐体の周側面に対する水冷により、筐体の天井面並びに周側面の過剰昇温を有効に抑制することができる。
【００１０】
本発明に係る燃料電池システムの更なる特徴構成は、
前記水冷部が、前記筐体において前記燃料電池モジュールの前面に配置されている点にある。
【００１１】
通常の燃料電池システムでは、奥行き寸法を低減させるべく、筐体の前面と高温に保たれる燃料電池モジュールとの隙間が比較的狭く、燃料電池モジュールからの伝熱により筐体の前面が比較的高温になり易い。また、筐体の前面は、他の面と比べて、利用者等が触れる頻度が比較的高い部分であることから、過剰な昇温を抑制することが望ましい。
そこで、本特徴構成によれば、水冷部を燃料電池モジュールの前面に配置し、比較的高温になり易い筐体の前面を冷却対象部として冷却部により冷却することで、当該筐体の前面の過剰昇温を抑制し、利用者の取扱い等における不都合を良好に回避することができる。
【００１２】
本発明に係る燃料電池システムの更なる特徴構成は、
前記水タンクに貯留されている水を前記水ポンプの一次側に還流させる還水管路を備えた点にある。
【００１３】
本特徴構成によれば、水タンクに貯留されている水を水ポンプの一次側（吸込み側）に還流させる還水管路を設けることで、水ポンプから送水管路を介して水タンクへ水を供給する経路と水タンクから還水管路を介して水ポンプへ水を供給する経路とからなる循環経路が形成されることになる。よって、凝縮水生成部における凝縮水の生成量が少ない場合でも、当該循環経路における水の循環量を多く設定して、送水管路が機能する水冷部による筐体の周側面への冷却能力を高い状態に維持することができ、結果、筐体の周側面の過剰昇温を好適に抑制することができる。
【００１４】
本発明に係る燃料電池システムの更なる特徴構成は、
前記燃料電池モジュールの下方に配置され、前記凝縮水生成部から排出された凝縮水を一時的に貯留して精製処理を行う水精製器を備え、
前記水ポンプが、前記燃料電池モジュールの下方に配置され、前記水精製器から受け入れた水を間欠的に前記水タンクに送出する点にある。
【００１５】
本特徴構成によれば、燃料電池モジュールの下方に凝縮水の精製処理を行う水精製器を配置することで、凝縮水生成部から下方に排出された凝縮水を水精製器で受容して一時的に貯留することができる。よって、水精製器が所謂バッファタンクとして機能することで、水ポンプの作動状態を比較的自由に設定することができる。
そこで、水ポンプの作動状態については、常時作動させるのではなく、例えば水精製器の満水時や冷却対象部の温度上昇時にのみ作動させるなどのように、間欠的に作動させて、水精製器から受け入れた水を間欠的に水タンクに送出するようにすれば、水ポンプの作動のための一次エネルギの消費量を削減すると共に、水ポンプの耐久性を向上することができる。
【００１６】
本発明に係る燃料電池システムの更なる特徴構成は、
燃料ガスを水蒸気改質させて前記燃料電池部に供給する改質器と、給水を加熱して前記改質器に供給される水蒸気を生成する水蒸気生成器とが、前記燃料電池モジュールの内部に収容され、
前記水タンクに貯留されている水を前記水蒸気生成器に導く給水管路を備えた点にある。
【００１７】
本特徴構成によれば、水タンクの下方に配置されている燃料電池モジュールの内部に改質器と水蒸気生成器とが収容されているので、水タンクに貯留されている水を水蒸気生成器に導く給水管路にポンプ等を設ける必要がなく、水タンクに貯留されている水を自重により水蒸気生成器へ供給することができる。
【００１８】
本発明に係る燃料電池システムの更なる特徴構成は、
前記凝縮水生成部が、前記排ガスとの熱交換により給水を加熱して温水を生成する排熱回収熱交換器である点にある。
【００１９】
本特徴構成によれば、凝縮水生成部を排熱回収熱交換器として構成すれば、当該排熱回収熱交換器で排ガスの潜熱をも回収して好適に加熱された温水を給湯用途で利用することができる。
【図面の簡単な説明】
【００２０】
【図１】本実施形態の燃料電池システムの概略構成を示す立面図
【図２】本実施形態の燃料電池システムの概略構成を示す斜視図
【発明を実施するための形態】
【００２１】
本発明にかかる燃料電池システムの実施形態について図面に基づいて説明する。
本実施形態の燃料電池システム１は、図１に示すように、燃料電池モジュール３と、凝縮水生成部４と、水タンク８とを、筐体２内に配置してなる。
筐体２は、金属板からなる直方体の箱状体として形成されており、図２も参照して、前面２ｆ（図１の手前側）、両側面２ｓ（図１の左右側）、背面２ｂ（図１の奥側）、天井面２ｔ（図１の上側）、底面２ｇ（図１の下側）で構成されており、外部との間で、燃料ガスＦ、空気Ａ、給水Ｓ、排ガスＥ、及び、その他流体、電気、制御信号等の授受を行うためのインターフェースが設けられている。
【００２２】
燃料電池モジュール３は、外部から取り込んだ燃料ガスＦとファン１０により供給された空気Ａとを反応させて発電する燃料電池部３２を内部に収容する矩形の筐体で構成されており、当該燃料電池部３２の排ガスＥを、燃料電池モジュール３の下方に配置された凝縮水生成部４に排出する。
燃料電池部３２は、固体酸化物形燃料電池（ＳＯＦＣ）として構成されており、詳しくは、複数のセル３３を積層してなるＳＯＦＣスタックとして構成されている。そして、各セル３３では、改質器３５で改質された燃料ガスＦと空気Ａとを７００℃〜１０００℃程度の高温環境下で電気化学反応させて発電し、発電した電気は、図示しないインバーターに送られて利用に供される。未反応の燃料ガス（電気化学反応において生成される中間体を含む）は、燃料電池部３２の上方出口の燃焼空間３４で完全燃焼する。
燃料電池モジュール３の外表面は、内部の燃料電池部３２が非常に高温で作動することから高温に保たれ、その輻射熱が筐体２に向けて放射されることになる。
【００２３】
燃料電池モジュール３の内部において、燃焼空間３４の上方には、燃料ガスＦを水蒸気改質させて燃料電池部３２に供給する改質器３５と、給水Ｓを加熱して改質器３５に供給される水蒸気を生成する水蒸気生成器３６とが配置されている。
そして、これら改質器３５及び水蒸気生成器３６は、燃焼空間３４における燃焼により加熱され、また、当該燃焼により生成された排ガスＥは、燃料電池モジュール３の内部を通流した後に、凝縮水生成部４に供給される。
【００２４】
凝縮水生成部４は、燃料電池モジュール３の底面から排出される排ガスＥを取り込み、当該排ガスに含まれる水蒸気を凝縮させて凝縮水Ｗ’を生成する。
具体的には、凝縮水生成部４は、排ガスとの熱交換により給水Ｓを加熱して温水Ｈを生成する排熱回収熱交換器として構成されている。即ち、凝縮水生成部４を構成する排熱回収熱交換器は、燃料電池モジュール３の底面から下向きに排出された排ガスＥを受け入れる排ガス受容空間４１と、当該排ガス受容空間４１の側面に接続され当該排ガス受容空間４１から取り込んだ排ガスＥを外部に排出する排気路４２とを備え、その排ガス受容空間４１に、内部に給水Ｓが通流する伝熱管４３が配置されている。そして、この排ガス受容空間４１では、高温の排ガスＥと低温の給水Ｓとの熱交換が行われる。よって、伝熱管４３の内部に通流する給水Ｓは、高温の排ガスＥとの熱交換により加熱されることで温水Ｈとして排出され、例えばその温水Ｈが外部に設けられた貯湯タンク（図示省略）に一旦貯留された後に給湯部等に供給されて利用される。一方、排ガス受容空間４１を通流する排ガスＥは、冷温の給水Ｓとの熱交換により冷却されることで、当該排ガスＥに含まれる水蒸気が凝縮して凝縮水が生成され、その凝縮水Ｗ’が排ガス受容空間４１の底部の凝縮水受け部４４に滴下して外部に排出される。
更に、凝縮水生成部４の下方には、凝縮水生成部４から排出された凝縮水Ｗ’を、一時的に貯留してイオン交換樹脂等の精製材に通過させる形態で精製処理を行って、精製処理後の水Ｗを排出する水精製器５が配置されている。
【００２５】
水タンク８は、凝縮水生成部４から排出された凝縮水Ｗ’を貯留する開放型のタンクとして構成されている。
詳しくは、水タンク８は、燃料電池モジュール３の上方に配置されており、水精製器５から排出された水Ｗを受け入れて貯留する。
この水タンク８の上部側面には、貯留されている水Ｗの排水を行うタンク排水部として、水タンク８における一定水位以上の水Ｗをオーバーフローさせる形態で排水するオーバーフロー排水管８３が接続されている。
そして、このオーバーフロー排水管８３は、筐体２の天井部付近に配置されることになるので、燃料電池システム１の設置個所に設けられた排水口（図示省略）に対して、筐体２の天井付近に配置されたオーバーフロー排水管８３の高さが高くなり、結果、比較的大きな水頭圧を確保して良好な排水を行うことができるようになる。
また、水タンク８に給水Ｓを補充する管路８１と、当該管路８１に配置され水タンク８の水位低下に伴って自動的に開放される給水弁８２とが設けられている。即ち、水タンク８の水位が低下した場合、給水弁８２が開放されて管路８１を介して給水Ｗが補充されることで、水タンク８の水位が所定の水位に維持される。
【００２６】
水ポンプ６は、凝縮水生成部から排出された凝縮水Ｗ’を水タンク８に送出するものであり、詳しくは、燃料電池モジュール３の下方に配置され、水精製器５から排出された水Ｗを、送水管路７を通じて、上方に配置された水タンク８に送出する。
また、この水タンク８の下部側面には、水タンク８に貯留されている水Ｗを、その水タンク８の下方側に配置された燃料電池モジュール３の内部に収容されている水蒸気生成器３６に導く給水管路８５が接続されている。この給水管路８５により水タンク８に貯留されている水Ｗを自重により水蒸気生成器３６へ供給することができるので、この給水管路８５には、送水用のポンプが必要ない。
【００２７】
更に、水タンク８の下部側面には、上記給水管路８５に加えて還水管路９が接続されており、この還水管路９は、開閉弁９１の開弁操作を伴って、水タンク８に貯留されている水Ｗを水ポンプ６の一次側、具体的には水精製器５の入口側に還流させる。このように水タンク８に貯留されている水Ｗが水精製器５の入口側に還流されるので、燃料電池モジュール３の下方に配置された水精製器５がその水Ｗを一時的に貯留する所謂バッファタンクとして機能する。よって、凝縮水生成部４における凝縮水Ｗ’の生成量に関係なく、水ポンプ６の送水量や作動状態等を比較的自由に設定し、送水管路７における水Ｗの流量及び流通状態を比較的自由に設定することができる。
【００２８】
以上のような燃料電池システム１では、燃料電池モジュール３が比較的高温に保たれることから、筐体２の過剰昇温が懸念される。特に、筐体２の周側面の一部である前面２ｆと、筐体２の天井面２ｔとについては、利用者等が触れる頻度が比較的高いことから、このような過剰昇温を抑制することが望まれる。
そこで、本実施形態の燃料電池システム１では、水タンク８の配置箇所及び水タンク８へ水Ｗを供給する送水管路７について、かかる筐体２の過剰昇温を抑制するための特徴を有しており、その特徴について以下に説明を加える。
【００２９】
水タンク８は、前述したように燃料電池モジュール３の上方に配置されている。従って、燃料電池モジュール３の天井面から筐体２の天井面２ｔへの伝熱が水タンク８により遮断され、結果、筐体２において利用者等が触れる頻度が比較的高い天井面２ｔの過剰昇温が抑制されている。
【００３０】
筐体２の内部において、底部付近に配置された水ポンプ６から天井部付近に配置された水タンク８へ水Ｗを導く送水管路７が、筐体の周側面の少なくとも一部の前面２ｆを冷却対象部として、当該冷却対象部を送水Ｗとの熱交換により水冷する水冷部Ｘとして機能する。
即ち、この送水管路７は、筐体２の前面２ｆの内面側に沿って水平方向で蛇行しながら上方に向かう形態で配置された伝熱管で構成されている。そして、送水管路７を構成する伝熱管内に水Ｗが通流することにより、燃料電池モジュール３の輻射熱を受ける筐体２の前面２ｆが水Ｗとの熱交換により水冷され、結果、筐体２において利用者等が触れる頻度が比較的高い前面２ｆの過剰昇温が抑制される。
【００３１】
更に、水ポンプ６は、常時作動するのではなく、水精製器５の満水時や筐体２の前面２ｆの温度上昇時にのみ作動する形態で、水精製器５から受け入れた水を間欠的に水タンク８に送出する。
具体的に、水精製器５には満水状態を検出する水位センサ５１が設けられており、その水位センサ５１で水精製器５が満水状態となったことを検出し、水精製器５に貯留されている水がオーバーフローする直前の時点で、水ポンプ６が一定時間作動されて、水精製器５に貯留されている水Ｗが水タンク８に送出される。
【００３２】
また、筐体２の前面２ｆの内側には、当該前面２ｆの温度を検出する温度センサ１１が設けられており、温度センサ１１で検出された筐体２の前面２ｆの温度が設定温度範囲の上限値に到達した時点で水ポンプ６が作動されて当該前面２ｆの水冷が開始され、温度センサ１１で検出された前面２ｆの温度が設定温度範囲の下限値まで低下した時点で水ポンプ６が停止されて当該前面２ｆの水冷が停止される。
このとき、水精製器５に貯留されている水Ｗが不足する場合には、開閉弁９１を開弁操作して、水タンク８に貯留されている水Ｗを還水管路９を通じて水精製器５に還流させるので、水冷部Ｘとして機能する送水管路７に比較的大量の水Ｗを通流させることができ、結果、水冷部Ｘは筐体２の前面２ｆに対して比較的高い冷却能力を発揮することができる。
尚、温度センサ１１については、筐体２自身の温度を検出するのではなく、当該筐体２に対して輻射熱を放出する燃料電池モジュール３の外表面の温度を検出するように配置しても構わない。
また、水ポンプ６を間欠的に作動させるのではなく、例えば凝縮水Ｗ’の生成量に応じて連続的に作動させても構わない。
【００３３】
〔その他の実施形態〕
最後に、本発明のその他の実施形態について説明する。尚、以下に説明する各実施形態の構成は、それぞれ単独で適用されるものに限られず、矛盾が生じない限り、他の実施形態の構成と組み合わせて適用することも可能である。
【００３４】
（１）上記実施形態では、筐体２の周側面２ｆ、２ｓ、２ｂのうち、水冷部Ｘにより水冷する対象となる冷却対象部を前面２ｆとしたが、他の両側面２ｓや背面２ｂを冷却対象部として水冷部Ｘにより水冷しても構わない。
【００３５】
（２）上記実施形態では、水タンク８の排水を行うタンク排水部を、水タンク８の上部側面に接続されたオーバーフロー排水管８３で構成したが、別の構成のタンク排水部を設けても構わず、例えば水タンク８の下部側面に排水管を接続し、当該排水管に設けられた排水弁の開閉操作により排水を行うように構成しても構わない。
【００３６】
（３）上記実施形態では、燃料電池部３２を固体酸化物形燃料電池として構成したが、別の形式の燃料電池として構成しても構わない。
【００３７】
（４）上記実施形態では、還水管路９や水精製器５等を設けたが、これらは適宜省略しても構わない。
【産業上の利用可能性】
【００３８】
本発明は、燃料ガスと空気とを反応させて発電する燃料電池部を内部に収容してなり当該燃料電池部の排ガスを排出する燃料電池モジュールと、前記燃料電池モジュールから排出された排ガスに含まれる水蒸気を凝縮させて凝縮水を生成し当該凝縮水を下方に排出する凝縮水生成部と、前記凝縮水生成部から排出された凝縮水を貯留し当該貯留されている水の排水を行うタンク排水部を有する水タンクとを、筐体内に配置してなる燃料電池システとして好適に利用可能である。
【符号の説明】
【００３９】
１        ：燃料電池システム
２        ：筐体
２ｆ      ：前面（周側面）
３        ：燃料電池モジュール
４        ：凝縮水生成部
５        ：水精製器
６        ：水ポンプ
７        ：送水管路
８        ：水タンク
９        ：還水管路
３２      ：燃料電池部
３５      ：改質器
３６      ：水蒸気生成器
８３      ：オーバーフロー排水管（タンク排水部）
８５      ：給水管路
３２      ：燃料電池部
Ａ        ：空気
Ｅ        ：排ガス
Ｆ        ：燃料ガス
Ｈ        ：温水
Ｓ        ：給水
Ｗ，Ｗ’  ：水（凝縮水）
Ｘ        ：水冷部
【図１】
2015176818.tif 000003
【図２】
2015176818.tif 000004